【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
発電設備(2010)と、
送電領域(2401)にわたった電力伝送のための送電周波数誘導表面波(2122)を送出するように構成された送電プローブ(2120)であって、前記送電プローブ(2120)は、損失性導電媒体(203)の上の、ある高さ(H1)に持ち上げられた帯電端子(T1)を備える、送電プローブと、
前記送電周波数誘導表面波(2122)を受信するように構成されたサブ送電受信器(2130)を備えたサブ送電ステーション(2030)であって、サブ送電電力変換器(2140)が、前記送電周波数誘導表面波(2122)からの電力を、サブ送電領域(2420)にわたった伝送のための電力に変換するように構成され、サブ送電プローブ(2220)は、前記サブ送電領域の少なくとも一部にわたった電力伝送のためのサブ送電周波数誘導表面波(2222)を送出するように構成され、前記送電周波数誘導表面波の周波数は、前記サブ送電周波数誘導表面波(2222)の周波数未満である、サブ送電ステーションと、
前記サブ送電周波数誘導表面波(2222)から前記電力を受信する配電ステーション(2050)と、
配電領域にわたって前記電力を伝送する配電網(2060)と、
を含む、システム。
【請求項２】
前記配電網は、
前記サブ送電周波数誘導表面波を受信するように構成された配電受信器と、
前記サブ送電周波数誘導表面波からの電力を、前記配電領域のうちの少なくとも一部にわたった伝送のための電力に変換するように構成された配電電力変換器と、
を更に備える、請求項１に記載のシステム。
【請求項３】
前記配電ステーションは、前記配電領域のうちの少なくとも一部にわたった電力伝送のための配電周波数誘導表面波を送出するように構成された配電プローブを更に備える、請求項１または２に記載のシステム。
【請求項４】
前記送電周波数誘導表面波の前記周波数が、前記配電周波数誘導表面波の周波数未満である、請求項３に記載のシステム。
【請求項５】
前記配電網は、
前記配電周波数誘導表面波を受信するように構成されたローカル受信器と、
前記配電周波数誘導表面波からの電力を、少なくとも１人の顧客への供給のための電力に変換するように構成されたローカル電力変換器と、
を備える、請求項３又は４に記載のシステム。
【請求項６】
前記送電プローブは、前記損失性導電媒体の複素ブルースター入射角で入射する波面を合成する、結果として生じる少なくとも１つの電界を生成するように構成される、請求項１から５のいずれか一項に記載のシステム。
【請求項７】
前記送電プローブは、前記送電プローブ近傍にある前記損失性導電媒体に関連付けられた複素ブルースター入射角に関連付けられたウェーブチルト角に整合する位相遅れをもたらすように構成された給電ネットワークを更に備える、請求項１から６のいずれか一項に記載のシステム。
【請求項８】
送電プローブ(2120)によって、送電領域(2401)にわたった電力伝送のための送電周波数誘導表面波(2122)を送出することであって、前記送電プローブ(2120)は、損失性導電媒体(203)の上の、ある高さ(H1)に持ち上げられた帯電端子(T1)を備える、ことと、
サブ送電ステーション(2030)におけるサブ送電受信器によって、前記送電周波数誘導表面波(2122)を受信することと、
前記サブ送電ステーション(2030)におけるサブ送電電力変換器(2140)によって、前記送電周波数誘導表面波(2122)からの電力を、サブ送電領域(2420)にわたった伝送のための電力に変換することと、
前記サブ送電ステーション(2030)におけるサブ送電プローブ(2220)によって、サブ送電周波数誘導表面波(2222)を送出することにより前記サブ送電領域(2420)にわたって前記電力を伝送することであって、前記送電周波数誘導表面波(2122)の周波数は、前記サブ送電周波数誘導表面波(2222)の周波数未満である、ことと、
配電ステーション(2050)において、前記サブ送電周波数誘導表面波(2222)から前記電力を受信することと、
配電網(2060)を使用して、配電領域にわたって前記電力を伝送することと、
を含む、方法。
【請求項９】
前記送電プローブによって、前記損失性導電媒体の複素ブルースター入射角で入射する波面を合成する、結果として生じる少なくとも１つの電界を生成することを更に含む、請求項８に記載の方法。
【請求項１０】
前記送電プローブの給電ネットワークによって、前記送電プローブ近傍にある前記損失性導電媒体に関連付けられた複素ブルースター入射角に関連付けられたウェーブチルト角に整合する位相遅れをもたらすことを更に含む、請求項８または９に記載の方法。
【請求項１１】
前記送電周波数誘導表面波は、低周波数誘導表面波である、請求項８から１０のいずれか一項に記載の方法。
【請求項１２】
前記配電網は、配電プローブを備え、前記配電領域にわたって前記電力を伝送することは、更に、前記配電プローブによって、前記配電領域のうちの少なくとも一部にわたって配電周波数誘導表面波を送出することを含む、請求項８から１０のいずれか一項に記載の方法。
【請求項１３】
前記送電周波数誘導表面波の前記周波数が、前記配電周波数誘導表面波の周波数未満である、請求項１２に記載の方法。
【請求項１４】
前記配電ステーションにおける配電電力変換器によって、前記サブ送電周波数誘導表面波からの前記電力を、前記配電領域にわたる伝送のための電力に変換することを更に含む、請求項８から１３のいずれか一項に記載の方法。
【請求項１５】
前記配電領域にわたって伝送される前記電力をローカル誘導表面波受信器を用いて受信する、請求項８から１４のいずれか一項に記載の方法。
【手続補正２】
【補正対象書類名】明細書
【補正対象項目名】０１９６
【補正方法】変更
【補正の内容】
【０１９６】
各種実施形態において、送電プローブ２１２０は、本明細書で説明する誘導表面導波プローブ２００ａ、２００ｂ、２００ｃ、２００ｅ、２００ｄ又は２００ｆのいずれかとして実施することもできるし、これらの変形として実施することもできる。したがって、本明細書で説明する他の構成要素の中でも、送電プローブ２１２０は、本明細書で説明するような、損失性導電媒体２０３の上の、ある高さに持ち上げられた帯電端子と、損失性導電媒体２０３にあるグラウンド杭と、給電ネットワークと、を備え得る。送電プローブ２１２０は、損失性導電媒体２０３と例えば大気などの第２の媒体との間の境界界面に沿って誘導表面波を送出するように構成される。
【手続補正３】
【補正対象書類名】明細書
【補正対象項目名】０２０４
【補正方法】変更
【補正の内容】
【０２０４】
各種実施形態において、サブ送電プローブ２２２０は、本明細書で説明する誘導表面導波プローブ２００ａ、２００ｂ、２００ｃ、２００ｅ、２００ｄ又は２００ｆのいずれかとして実施することもできるし、これらの変形として実施することもできる。したがって、本明細書で説明する他の構成要素の中でも、サブ送電プローブ２２２０は、本明細書で説明するような、損失性導電媒体２０３の上の、ある高さに持ち上げられた帯電端子と、損失性導電媒体２０３にあるグラウンド杭と、給電ネットワークと、を備え得る。サブ送電プローブ２２２０は、損失性導電媒体２０３と例えば大気などの第２の媒体との間の境界界面に沿って誘導表面波を送出するように構成される。
【手続補正４】
【補正対象書類名】明細書
【補正対象項目名】０２１２
【補正方法】変更
【補正の内容】
【０２１２】
各種実施形態において、配電プローブ２３２０は、本明細書で説明する誘導表面導波プローブ２００ａ、２００ｂ、２００ｃ、２００ｅ、２００ｄ又は２００ｆのいずれかとして実施することもできるし、これらの変形として実施することもできる。したがって、本明細書で説明する他の構成要素の中でも、配電プローブ２３２０は、本明細書で説明するような、損失性導電媒体２０３の上の、ある高さに持ち上げられた帯電端子と、損失性導電媒体２０３にあるグラウンド杭と、給電ネットワークと、を備え得る。配電プローブ２３２０は、損失性導電媒体２０３と例えば大気などの第２の媒体との間の境界界面に沿って誘導表面波を送出するように構成される。
【手続補正５】
【補正対象書類名】明細書
【補正対象項目名】０２３７
【補正方法】変更
【補正の内容】
【０２３７】
有線分配装置と無線分配装置との組み合わせの使用に関して、例えば、サブ送電ステーション２０３０において有線送電網２０２０を介して受信された電力は、サブ送電プローブ２２２０などの無線装置を使用して再伝送され得ることに留意されたい。同様に、例えば、配電ステーション２０５０において有線サブ送電網２０４０を介して受信された電力は、配電プローブ２３２０などの無線装置を使用して再伝送され得る。したがって、各種実施形態において、上述したサブ送電ステーション２０３０及び配電ステーション２０５０は、有線電力分配装置と共に無線電力分配装置を含み得る。そのため、サブ送電ステーション２０３０及び配電ステーション２０５０は、本明細書で説明した共存の概念に係る、無線送電プローブと、無線受信構造と、電力変換器と、を備え得る。同時に、送電周波数誘導表面波、サブ送電周波数誘導表面波又は配電周波数誘導表面波を通じて無線受信構造によって受信されたあらゆる電力が、送電網２０２０、サブ送電網２０４０又は配電網２０６０などの有線網を通じて再伝送され得る。